(57)【要約】【課題】従来のシャープペンシルの場合、替芯ケースは、常に近くに保管しなければならず、保管場所を忘れたり、替芯ケース内に在庫の替芯が無かったなどの不都合も有った。また、シャープペンシルに替芯を入れるために、わざわざ１本の替芯を摘んでシャープペンシルの頭部から入れることは、特に幼児や高齢者には容易ではなく、その替芯が折れないように神経を注視しなければならず、手間がかかる面倒な作業であった、また替芯で手が汚れて用紙を汚すなどの課題もあった。【解決手段】本発明は、シャープペンシルの替芯挿入部に替芯ケースを嵌挿した状態で使用できる。また、シャープペンシルの消しゴム装着部に嵌挿する。また、替芯の落下数を調節するダイヤルを具備する。また、替芯の挿入を透視できる。また、形状を円形や三角形や四角形等の多角形とする。【選択図】図１
2006142693.tif 000002
【特許請求の範囲】
【請求項１】
シャープペンシルの替芯挿入部に替芯ケースを嵌挿した状態で使用できることを特徴とする替芯ケース。
【請求項２】
請求項１記載の替芯ケースは、シャープペンシルの消しゴム装着部に嵌挿することを特徴とする替芯ケース。
【請求項３】
請求項１記載の替芯ケースは、替芯の落下数を調節するダイヤルを具備することを特徴とする替芯ケース。
【請求項４】
請求項１記載の替芯ケースは、請求項３記載の替芯の挿入を透視できることを特徴とする替芯ケース。
【請求項５】
請求項１記載の替芯ケースは、形状を円形や三角形や四角形等の多角形を特徴とする替芯ケース。
【発明の詳細な説明】
【技術分野】
【０００１】
本発明は、シャープペンシルの替芯ケースに関する。
【背景技術】
【０００２】
シャープペンシルに替芯を入れる場合は、替芯ケースから１本の替芯を指先で摘んでシャープペンシルの頭部の消しゴム栓を抜出して、そこからから替芯を挿入していた。
【特許文献１】特開２００３−２１１８９３号公報
【発明の開示】
【発明が解決しようとする課題】
【０００３】
しかし、このようなシャープペンシルの場合、替芯ケースは、常に近くに保管しなければならず、保管場所を忘れたり、替芯ケース内に在庫の替芯が無かったなどの不都合も有った。また、シャープペンシルに替芯を入れるために、わざわざ１本の替芯を摘んでシャープペンシルの頭部から入れることは、特に幼児や高齢者には容易ではなく、その替芯が折れないように神経を注視しなければならず、手間がかかる面倒な作業であった、また替芯で手が汚れて用紙を汚すなどの課題もあった。
【課題を解決するための手段】
【０００４】
本発明は、上記目的を達成するため、請求項１記載の発明は、シャープペンシルの替芯挿入部に替芯ケースを嵌挿した状態で使用できることを特徴とする。
【０００５】
また、請求項２記載の発明は、請求項１記載の替芯ケースは、シャープペンシルの消しゴム装着部に嵌挿することを特徴とする。
【０００６】
また、請求項３記載の発明は、請求項１記載の替芯ケースは、替芯の落下数を調節するダイヤルを具備することを特徴とする。
【０００７】
また、請求項４記載の発明は、請求項１記載の替芯ケースは、請求項３記載の替芯の挿入を透視できることを特徴とする。
【０００８】
また、請求項５記載の発明は、請求項１記載の替芯ケースは、形状を円形や三角形や四角形等の多角形を特徴とする。
【発明の効果】
【０００９】
本発明の請求項１記載の発明によれば、シャープペンシルの替芯挿入部に替芯ケースを嵌挿した状態で使用できるので、替芯ケースは、別の場所に保管する必要がなくなる。
【００１０】
本発明の請求項２記載の発明によれば、替芯ケースは、シャープペンシルの消しゴム装着部に嵌挿するので、シャープペンシルに替芯を入れるために、わざわざ１本の替芯を摘んでシャープペンシルの頭部から入れる必要がなくなり、幼児や高齢者などの手間がかかる面倒な作業を省けるし、替芯の作業で手が汚れて用紙を汚すなどのこともなくなる。
【００１１】
本発明の請求項３記載の発明によれば、替芯ケースは、替芯の落下数を調節するダイヤルを具備することで必要な本数だけの替芯をシャープペンシルに挿入することができる。
【００１２】
本発明の請求項４記載の発明によれば、替芯の挿入を透視できるので、替芯ケース内に在庫の替芯が無かったなどの不都合も解決できる。
【００１３】
本発明の請求項５記載の発明によれば、形状を円形や三角形や四角形等の多角形で製作できるので各種のシャープペンシルの形状やデザインにマッチする。
【発明を実施するための最良の形態】
【００１４】
シャープペンシルの替芯挿入部に替芯ケースを嵌挿した状態で使用できる。また、替芯ケースは、シャープペンシルの消しゴム装着部に嵌挿する。また、替芯ケースは、替芯の落下数を調節するダイヤルを具備する。また、替芯ケースは、替芯の挿入を透視できる。また、替芯ケースは、形状を円形や三角形や四角形等の多角形で製作する。
【実施例１】
【００１５】
以下に実施例を挙げ、本発明の替芯ケースについて、図面を参照して詳細に説明する。
【００１６】
図1は、この発明に係わるシャープペンシルに替芯ケースを嵌挿した断面図である。
【００１７】
図２はシャープペンシルの断面図である。
【００１８】
図３は、この発明に係わる替芯ケースの正面からの断面図である。
【００１９】
図４はこの発明に係わる替芯ケースの替芯抽出ダイヤルの下部からの断面図である。
【００２０】
図５は、図４の分解した斜視図である。
【００２１】
図２において、従来のシャープペンシル１は胴４と胴４に連結する部材、及び内部の替芯を収納するチューブ５とチューブ５に連結する部材と消しゴム栓２で構成され、芯を繰り出すには消しゴム栓２をノックするとチューブ５に連結した部材によって芯が送出してくる。
【００２２】
チューブ５の替芯挿入口は、消しゴム栓２が取り付けられている。消しゴム栓２はチューブより大きな円柱形をしている。消しゴム栓２は、チューブ５から替芯が飛出しないための蓋の機能も果たしている。
【００２３】
消しゴム栓２には消しゴムカバー３が被せられている、消しゴムカバー３を被せた状態でノックしても芯を送り出すのに支障はない。
【００２４】
替芯は使用するたびに減っていくので、適時補給する必要があるが、補給するときは消しゴム栓２と消しゴムカバー３をシャープペンシル１の本体から抜脱して、替芯６を従来の替芯ケースから１本抜き出してチューブ５の中に挿入しなければならなかった。
【００２５】
前記、替芯６を挿入する作業は、チューブ５の内径が狭小で胴４の中に潜んだ状態にあるため視力が優れて手先の器用さが求められていた、そのため老人や子供は大変困難な作業であった。
【００２６】
図１において、前記図２で説明した消しゴム栓２を抜脱して、そこに本発明の替芯ケース７の替芯ケース嵌挿部１０を嵌挿する。
【００２７】
替芯ケース７はシャープペンシル１に嵌挿した状態のままで使用する。
【００２８】
替芯６をシャープペンシル１に補給する場合は替芯抽出ダイヤル９によって１本だけ補給する。
【００２９】
本発明の替芯ケース７は、従来のシャープペンシル１が通常具備している消しゴム栓２の場所に嵌挿するだけで使用できるので、従来のシャープペンシル１に本発明のための特別の加工を必要としない。
【００３０】
本発明の替芯ケース７の長さは、替芯の長さに合わせられる。
【００３１】
形状は円柱形や三角や四角や五角などの角柱形でもよい、この実施例の図４は円柱形をモデルに描いている。
【００３２】
図３において、本発明の替芯ケース７の断面図である、替芯６を本発明の替芯ケース７に収納するには替芯ケース蓋８を開けて替芯６を収納する。
【００３３】
前記、替芯６の数本の内の１本だけを前記チューブ５内に挿入するには、替芯抽出ダイヤル９によって替芯１本だけが替芯ケース７から抜出され替芯誘導穴１１を通過してチューブ５に挿入される。
【００３４】
前記、替芯誘導穴１１はすり鉢状の形状にて、替芯抽出ダイヤル９によって替芯６が１本だけ抜出されると、替芯誘導穴１１はチューブ５の内径より小さく、前記チューブ５の内径部に密着しているのでチューブ５の中に挿入される。
【００３５】
図４と図５において、前記替芯抽出ダイヤル９によって、替芯の１本のだけ抜出する替芯抽出ダイヤル９部の機構を説明する。
【００３６】
まず替芯抽出ダイヤル９は駆動リング１２と前記駆動リング１２に固設された三角形回転盤１３で構成され、その上に固定盤１７が連設されている。
【００３７】
また前記、駆動リング１２と三角形回転盤１３は同時に回転する。
【００３８】
また前記、固定盤１７の中心点に１箇所の回転盤替芯穴１６が開口している。
【００３９】
また前記、三角形回転盤１３には数個の替芯貫通穴１５が開口している。
【００４０】
また前記、三角形回転盤１３には数個の替芯貫通穴１５が開口し、回転中心軸１４を中心軸として回転する。
【００４１】
また前記、替芯貫通穴１５は、固定盤１７の中心点の開口穴と合致する。
【００４２】
また前記、駆動リング１２を回すことで、替芯貫通穴１５は、前記、固定盤１７の中心点に１箇所の回転盤替芯穴１６と合致したときに替芯６の１本だけが替芯誘導穴１１に挿入する。
【００４３】
また前記、三角形回転盤１３の回転中心軸１４は円の中心点が一方向にずれていることで数個の替芯貫通穴１５は固定盤１７の中心点の１箇所の回転盤替芯穴１６に順番よく合致することができる。
【００４４】
数本の替芯６は数個の替芯貫通穴１５のそれぞれに挿入されるが、前記固定盤１７の中心点の１箇所の回転盤替芯穴１６に順番よく合致したときだけ替芯６は替芯誘導穴１１に挿入される。
【００４５】
替芯６は三角形回転盤１３の替芯貫通穴１５と固定盤１７の中心地の１点の回転盤替芯穴１６の二つの穴を挿通して替芯誘導穴１１に至る。
【００４６】
本発明の替芯ケース７の材質を透明のプラスチック樹脂を使用することで替芯６の残存数を確認することもできるし、替芯６が替芯抽出ダイヤル９を回すことで替芯誘導穴１１を通過してチューブ５に挿入されるのを透視することができる。
【００４７】
また、替芯ケース７の形状を円形や三角形や四角形等の多角形にすることでデザイン効果を高めることもできる。
【産業上の利用可能性】
【００４８】
本発明は、シャープペンシルの消しゴム栓部に嵌挿する替芯ケースに関する。
【図面の簡単な説明】
【００４９】
【図１】この発明に係わるシャープペンシルに替芯ケースを嵌挿した断面図である。
【図２】この発明に係わるシャープペンシルの断面図である。
【図３】この発明に係わる替芯ケースの正面からの断面図である。
【図４】この発明に係わる替芯ケースの替芯抽出ダイヤルの下部の断面図である。
【図５】この発明に係わる図４の分解した斜視図である。
【符号の説明】
【００５０】
１    シャープペンシル
２    消しゴム栓
３    消しゴムカバー
４    胴
５    チューブ
６    替芯
７    替芯ケース
８    替芯ケース蓋
９    替芯抽出ダイヤル
１０  替芯ケース嵌挿部
１１  替芯誘導穴
１２  駆動リング
１３  三角形回転盤
１４  回転中心軸
１５  替芯貫通穴
１６  回転盤替芯穴
１７  固定盤
【図１】
2006142693.tif 000003
【図２】
2006142693.tif 000004
【図３】
2006142693.tif 000005
【図４】
2006142693.tif 000006
【図５】
2006142693.tif 000007